(57)【特許請求の範囲】
【請求項１】
浴槽に給湯し又は前記浴槽中の水を追焚回路に循環させる循環パイプユニットに直接又は間接的に連結される分岐管部と、
この分岐管部に連結されて前記浴槽の水を吸引する吸引口とともに、前記循環パイプユニット側の水を前記浴槽側に吐出させる吐出口が形成された本体部と、
前記水の吸引時、前記吐出口を塞ぐとともに前記吸引口を開き、前記水の吐出時、前記吐出口を開くとともに前記吸引口を閉じる弁手段と、
を備えたことを特徴とする循環口アダプタ。
【請求項２】
前記循環パイプユニットに連結される循環連結部と、
前記循環パイプユニットの水流方向と直交方向に独立した複数の通路を所定角度で形成する第１及び第２の連結管部を備え、これら第１及び第２の連結管部を所望方向に設定して固定可能な分岐管部と、
を備えたことを特徴とする請求項１記載の循環口アダプタ。
【請求項３】
前記分岐管部の下方に連結されて前記吸引口を前記浴槽の底面側に配置した前記本体部を備えたことを特徴とする請求項１又は請求項２記載の循環口アダプタ。
【請求項４】
前記分岐管部又は前記本体部に着脱可能に前記分岐管部及び前記本体部をその一部を露出させて被覆するカバーと、このカバーに切り離し可能に形成された単数又は複数のカバー片とを備え、前記カバー片の切り離しにより形成された窓部から前記分岐管部の一部を突出可能にしたことを特徴とする請求項１又は請求項２記載の循環口アダプタ。
【発明の詳細な説明】
【０００１】
【発明の属する技術分野】
本発明は、浴槽への給湯、浴槽水の追焚循環や洗濯機等への給水等に用いられる循環口アダプタに関する。
【０００２】
【従来の技術】
従来、浴槽への給湯や浴槽水の追焚循環は、浴槽の壁面部に形成された循環口を通して行われており、浴槽水を洗濯等に再利用する場合、その循環口に取り付けられた循環具に外部ホースを連結して浴槽水を取り出すことが行われている。
【０００３】
従来、浴槽内の循環部品には合成樹脂が使用されているが、管路間の連結には連結部に形成されたねじが用いられている。
【０００４】
【発明が解決しようとする課題】
洗濯等の外部給水のために、外部ホース以外の部品を着脱することは非常に面倒であり、その着脱のために浴槽側の循環口部の構造が複雑化する。また、浴槽内の突出部が大きくなると、入浴者に違和感を与えることになる。また、工事担当者からすれば、施工が容易であることが望ましい。また、給湯時、熱い湯が入浴者側に噴出することは不快感を生じさせ、安全性を高める上からも回避する必要がある。また、浴槽水を追焚して外部に給水する場合、浴槽内の湯垢等を取り除くことが必要である。また、循環口は浴槽底面より高い位置に形成されており、循環口から浴槽水を引き込む場合、循環口より低位の浴槽水を利用することができない。また、循環口アダプタの吸引口と出湯口を共通にした場合、湯垢を遮断するフィルタを設置しても、浴槽水の吸引とは水流方向が変わる出湯時には、フィルタに付着した湯垢が浴槽側に戻って不快感を生じさせる。
【０００５】
また、連結部にねじを多用することは、連結部を強固にする反面、ねじ込み作業に手間取り、施工時間が長くなるという不都合がある。
【０００６】
そこで、本発明は、構造が簡単でコンパクト、施工が容易で安全性が高い循環口アダプタを提供することを第１の課題とし、浴槽水の利用効率を向上させた循環口アダプタを提供することを第２の課題とする。
【０００７】
【課題を解決するための手段】
本発明は、循環連結部（３６）、複数の通路（吸引通路７４、吐出通路７６）を所定角度で形成する第１及び第２の連結管部（２６、２７）を備える循環口アダプタを構成し、構造簡単、施工容易、安全性の向上、浴槽水の利用効率の向上を図っている。
【０００９】
請求項１に係る本発明の循環口アダプタは、浴槽（３０）に給湯し又は前記浴槽中の水を追焚回路に循環させる循環パイプユニット（３４）に直接又は間接的に連結される分岐管部（２４）と、この分岐管部に連結されて前記浴槽の水を吸引する吸引口（８３、８５）とともに、前記循環パイプユニット側の水を前記浴槽側に吐出させる吐出口（７７）が形成された本体部（５８）と、前記水の吸引時、前記吐出口を塞ぐとともに前記吸引口を開き、前記水の吐出時、前記吐出口を開くとともに前記吸引口を閉じる弁手段（弁体９２、９４、９８）とを備えたことを特徴とする。即ち、循環パイプユニットには直接又は間接的に分岐管部が連結され、この分岐管部に本体部が連結される。この本体部には、吐出口及び吸引口が形成されているとともに、弁手段が備えられており、水の吸引時、吐出口が塞がれるとともに吸引口が開かれ、水の吐出時、吐出口が開かれるとともに吸引口が閉じられる結果、本体部から選択的に水を吸引又は吐出することができ、弁手段の切換動作で水の流れ方向を切り換えることができる。また、吐出口と吸引口とを別個に構成し、吸引口にフィルタを設置した場合、吸引時にフィルタで遮断した湯垢が吐出口による出湯時に浴槽側に戻ることがなく、湯垢による不快感が生ずることはない。
また、この本発明の循環口アダプタにおいて、前記循環パイプユニット（３４）に連結される循環連結部（３６）と、前記循環パイプユニットの水流方向と直交方向に独立した複数の通路（吸引通路７４、吐出通路７６）を所定角度で形成する第１及び第２の連結管部（２６、２７）を備え、これら第１及び第２の連結管部を所望方向に設定して固定可能な分岐管部（２４）とを備える構成としてもよい。斯かる構成とすれば、浴槽の循環口に貫通させた循環パイプユニットに循環連結部が連結される。分岐管部には循環パイプユニットの水流方向と直交方向に独立した複数の通路を所定角度で形成する第１及び第２の連結管部が形成されており、この分岐管部を循環連結部に固定する。この結果、循環パイプユニットには分岐管部の第１及び第２の連結管部が連結され、第１及び第２の連結管部毎に水路が形成される。この場合、分岐管部は、任意の角度で循環連結部に固定できるので、第１及び第２の連結管部を所望方向に設定でき、水路の方向を選択できる。
【００１０】
請求項３に係る本発明の循環口アダプタは、前記分岐管部（２４）の下方に連結されて前記吸引口（８３、８５）を前記浴槽の底面側に配置した前記本体部（５８）を備えたことを特徴とする。即ち、循環口側に設置される分岐管部に対し、吸引口を形成した本体部は浴槽の底面側に設置され、底面側の低い水位から浴槽水を吸引するので、従来の循環口アダプタに比較して、浴槽水の再利用効率を高めることができる。また、浴槽水の濾過はフィルタによって行うことができるので、湯垢の外部流出を防止することができる。
【００１１】
請求項４に係る本発明の循環口アダプタは、前記分岐管部（２４）又は前記本体部（５８）に着脱可能に前記分岐管部及び前記本体部をその一部を露出させて被覆するカバー（２）と、このカバーに切り離し可能に形成された単数又は複数のカバー片（２０）を備え、前記カバー片の切り離しにより形成された窓部（２２）から前記分岐管部の一部を突出可能にしたことを特徴とする。即ち、分岐管部及び本体部の大半がカバーで覆われ、例えば、その一部である連結管部の先端側がカバーから露出している。そして、このカバーには切り離し可能なカバー片が形成されており、施工者が施工時、そのカバー片を切除することで窓部を形成し、この窓部から分岐管部の一部、例えば、外部給水のための連結管部を突出させることができる。この連結管部に必要に応じて外部ホースを接続することで、浴槽水を洗濯等に利用することができる。
【００１３】
【発明の実施の形態】
本発明の実施の形態を図面に示した実施例を参照して詳細に説明する。
【００１４】
図１及び図２には本発明の循環口アダプタの実施例が示され、図１はその正面図、図２はその右側面図である。
【００１５】
この循環口アダプタは、図１に示すように、外装部材として長円形のカバー２によって被覆され、このカバー２に形成された円形の窓部４には浴槽水を吸引する吸引部６が形成され、この吸引部６には回動によって着脱可能なキャップ８が取り付けられている。カバー２には固定位置を表す突部１０、キャップ８の離脱位置を表す指示手段として三角形状の突部１２が形成され、キャップ８の中央にはその回動位置を表す指示手段として矢印状の突部１４が形成されている。また、キャップ８には複数の吸引口１６が放射状に形成され、各吸引口１６には濾過手段として金網等からなるフィルタ１８が取り付けられている。
【００１６】
そして、カバー２の側面部にはカバー片２０を取り除いてＵ字形の窓部２２が形成されており、この窓部２２には分岐管部２４の第１の連結管部２６が突出している。この連結管部２６には外部ホース２８が取り付けられ、連結管部２６から吐出する浴槽水が洗濯等に供される。
【００１７】
また、図２に示すように、浴槽３０の側壁に形成された循環口３２に貫通させた循環パイプユニット３４には循環口アダプタの背面部に突出した循環連結部３６がねじ部３８によって固定され、この循環連結部３６に貫通させた循環連結パイプ４０とともに循環路を形成している。即ち、循環口アダプタは図示しない給湯源である給湯回路に連結されるとともに、図示しない追焚回路に連結されており、この循環口アダプタを通して浴槽３０への給湯や、浴槽水の追焚循環等が行われる。そして、この循環口アダプタでは、吸引部６が循環口３２より下側、即ち、浴槽３０の底面側に垂下されて配置されているため、循環口３２より低い水位の浴槽水を吸い上げることができ、浴槽水の再利用効率を高めることができる。
【００１８】
次に、図３〜図５にはこの循環口アダプタのカバー２が示され、図３はカバー片２０を切り離す前のカバー２の側面図、図４はカバー片２０を切り離す前のカバー２の背面図、図５は図４のＶ−Ｖ線断面図を示している。
【００１９】
このカバー２の上部側面部には左右に切り離し可能なＵ字形のカバー片２０が形成されており、このカバー片２０はその周囲部に細い溝部４２及び透孔４４を形成して区画したものであり、溝部４２による薄肉及び透孔４４によって容易にカバー２から切り離すことができる。図１及び図２に示す循環口アダプタのカバー２では、右側のカバー片２０が切り離されて窓部２２が形成されている。また、このカバー２の前面側に形成された円形の窓部４の内側にはフランジ部４３が形成されている。また、カバー２の下側部には水を吐出させるための窓部４５が形成されている。この実施例では、傾斜を成す切り落としによって窓部４５が形成されている。
【００２０】
また、カバー２の背面上部中央には、分岐管部２４と係合する係合部４６が形成されるとともに、突壁部４８が形成されている。係合凹部４６は円筒状突部によって形成され、その内部に分岐管部２４の一部が挿入されて係合する。また、カバー２の背面には、分岐管部２４の一部と係合する係合手段として突壁部４８を挟んで一対の把持片５０、５２が突設されている。把持片５０、５２は、例えば、合成樹脂で形成されているカバー２と一体成形され、合成樹脂が持つ弾性を備えているので、把持片５０、５２の間隔を分岐管部２４の外径より僅かに狭くすることにより、把持片５０、５２間に適当な弾性力によって分岐管部２４を強固に把持することができる。これによって、分岐管部２４にカバー２が固定される。この実施例では、各把持片５０、５２及びカバー２を補強するため、リブ５４が形成され、各リブ５４は図５に示すように、カバー２の肉厚より高く形成されている。また、窓部４の上側縁部には本体部側と分岐管部２４との結合部分を収容する切欠凹部５６が形成されている。
【００２１】
次に、図６〜図９には分岐管部２４及び本体部の実施例が示され、図６は分岐管部２４及び本体部、図７は図６の  ＶＩＩ−ＶＩＩ  線断面、図８は本体部の分解構造、図９はキャップ及び本体部を示している。
【００２２】
この循環口アダプタは、図６に示すように、カバー２の内部に分岐管部２４とこの分岐管部２４に連結された本体部５８が収納されている。分岐管部２４には循環連結部３６に固定するための手段として円形碗状の固定盤６０が設けられ、連結管部２６、２７の分岐部分にはカバー２の係合凹部４６に挿入されてカバー２と分岐管部２４とを係合させるための係合突部５９が形成されている。また、固定盤６０の背面側に循環連結部３６が挿入され、固定盤６０の背面部には図７に示すように、円筒状の嵌合突部６１が突設され、この嵌合突部６１はその径小部分にＯリング６３を介在させて循環連結部３６に挿入されて固定されている。そして、この固定盤６０には循環連結部３６の複数の固定部に対応した角度間隔で複数の透孔６２が形成され、この透孔６２から固定ねじ６４を締め付けることにより、分岐管部２４が強固に固定される。
【００２３】
また、この分岐管部２４の固定盤６０の中心部には、図７に示すように、背面側に循環連結パイプ４０が突設され、この循環連結パイプ４０と連通している第１の連結管部２６が形成されているとともに、連結管部２６内で循環連結パイプ４０の外側の通路と分離されて循環パイプユニット３４と連通する第２の連結管部２７が形成され、連結管部２６、２７は所定の角度例えば、８０度の角度で形成されている。これら連結管部２６、２７の先端部には小径部分には外部ホース２８や本体部５８とを水密状態で連結するため、Ｏリング６６が取り付けられている。この実施例では、連結管部２６が開放され、連結管部２７側に本体部５８が連結されているが、循環連結部３６に対して固定盤６０を連結管部２６が下方になるように取り付けることにより、連結管部２６に本体部５８を取り付けることができ、固定盤６０の取付け角度の変更によって連結管部２６又は連結管部２７に本体部５８を選択的に連結することができる。また、連結管部２６、２７は円筒形であり、固定盤６０の前面側からの張出しを最小限にするため、固定盤６０には連結管部２６、２７に対応して切欠部６８、７０が形成され、循環口アダプタのコンパクト化に寄与している。
【００２４】
そして、本体部５８には連結管部２７と連結される嵌合連結部７２に２つの分離された通路として、浴槽３０の浴槽水を吸い上げるときに用いる吸引通路７４と、循環連結パイプ４０側の水を浴槽３０側に流し込むときに用いる吐出通路７６とが形成され、この吐出通路７６は吐出口７７に連通している。本体部５８は複数の固定突部７８及びねじ８０を用いて固定された前面遮蔽板８２によって閉塞され、この前面遮蔽板８２には吸引通路７４に連通する吸引口８３、８５が形成されるとともに、ねじ８０を貫通するための透孔８７が形成されている。
【００２５】
そして、本体部５８には吸引通路７４及び吐出通路７６を区画分離するための囲壁８４、８６が形成され、吸引通路７４側には一対の軸受部８８によって弁体９２、一対の軸受部９０によって弁体９４が開閉可能に取り付けられ、また、吐出通路７６側には一対の軸受部９６によって弁体９８が開閉可能に取り付けられている。弁体９２、９４は、各軸受部８８、９０によって回動可能に支持される軸部１００に板状の弁板１０２が形成されるとともに、前面遮蔽板８２に当たって弁板１０２を吸引通路７４側に形成された弁座部１０４に当接させる支持手段として支持片１０６が形成されている。弁体９２、９４は弾性材料として例えば、ゴムで形成されており、この弾性を利用して支持片１０６を以て弁座部１０４に弁板１０２を当接させて吸引時以外は常閉弁として機能し、吸引時、水の圧力を利用して弁板１０２が弁座部１０４から離れ、水の吸引を可能にする。吐出時、その吐出力によって弁板１０２が弁座部１０４側に圧接状態となり、吸引通路７４が吐出通路７６と分離状態となる。
【００２６】
また、弁体９８も同様に、一対の軸受部９６によって回動可能に支持される軸部１０８に板状の弁板１１０が形成されるとともに、前面遮蔽板８２に当たって弁板１１０を吐出通路７６側に形成された弁座部１１２に当接させる支持手段として一対の支持片１１４が形成されている。弁体９８も同様に弾性材料として例えば、ゴムで形成されており、この弾性を利用して支持片１１４を以て弁座部１１２に弁板１１０を当接させて吐出時以外は常閉弁として機能し、吐出時、水の圧力を利用して弁板１１０が弁座部１１２から離れ、水の吐出を可能にする。吸引時、その吸引力によって弁板１１０は弁座部１１２側に圧接状態となり、吐出通路７６が吸引通路７４と分離状態となる。
【００２７】
そして、本体部５８の背面部には浴槽３０の内壁面に当接させて本体部５８を浴槽３０の内壁面と平行に維持するための支持手段として支持突部１１６が本体部５８と一体に形成されている。また、本体部５８の周面部にはフランジ部１１８が形成されているとともに、カバー２の窓部４側のフランジ部４３の内側に係止させる係止突部１２０がフランジ部１１８より高く形成されている。そして、本体部５８の前面側の周壁部には選択的に複数の溝部１２２が形成され、この溝部１２２の一部が本体部５８の前面側に挿入部１２４として開放されている。これに対し、キャップ８の内周面部には溝部１２２に係合させる複数の突部１２６が形成されている。即ち、キャップ８の突部１２６を本体部５８の挿入部１２４に合わせることにより、本体部５８にキャップ８を被せ、キャップ８と本体部５８とを反対方向に回転させ、突部１２６を溝部１２２の終点まで移動させることにより、キャップ８と本体部５８とを結合することができる。
【００２８】
次に、図１０〜図１３は本発明の実施例に係る管結合構造を示し、図１０は分岐管部２４側の連結部、図１１は本体部５８側の連結部、図１２及び図１３は両者の着脱を示している。
【００２９】
挿入管部である、分岐管部２４側の連結管部２６、２７は、図１０の（Ａ）及び（Ｂ）に示すように、先端部を径小にし、その中途部に凹部１２８が形成されて水密手段であるＯリング６６が嵌合されている。また、凹部１２８より後方の位置に第１の突部として環状の係止突部１３０が形成されるとともに、この係止突部１３０と直交する方向に第２の突部として係合案内部１３２が選択的に形成されている。この実施例の係合案内部１３２は、直径方向の二箇所に形成されており、係止突部１３０と同一の高さである。また、この実施例では、係止突部１３０を環状としたが、所定の角度間隔で円弧状としてもよい。
【００３０】
これに対し、被挿入管部である、本体部５８の嵌合連結部７２には、図１１の（Ａ）〜（Ｃ）に示すように、開口部側に段階的に径大になる径大部１３４、１３６が段部を設けて形成され、径大部１３６には複数のスリット１３８が形成されて、連結管部２６又は連結管部２７の挿入の案内をする挿入案内手段として、幅の狭い複数の挿入案内片１４０が係合案内部１３２に対応して形成されている。そして、径大部１３６には、連結管部２６又は連結管部２７の係止突部１３０に係合する係止凹部１４２が形成されている。径大部１３６の開口縁部には連結管部２６又は連結管部２７の挿入を容易にするためのテーパ面１４４が形成されている。
【００３１】
このような構成とすれば、図１２の（Ａ）及び（Ｂ）に示すように、挿入案内片１４０の位置に係合案内部１３２を合わせて連結管部２６又は連結管部２７を矢印Ａ方向に嵌合連結部７２に押し込むと、係合案内部１３２によって矢印Ｂで示す方向に挿入案内片１４０が押し広げられることにより、連結管部２６又は連結管部２７が嵌合連結部７２の終点、即ち、係止凹部１４２に係止突部１３０が係合され、連結管部２６又は連結管部２７が嵌合連結部７２に連結される。この状態で図１３の（Ｃ）及び（Ｄ）に示すように、連結管部２６又は連結管部２７を矢印Ｃで示す方向に数度だけ回動すると、係合案内部１３２がスリット１３８に挿入されて挿入案内片１４０が合成樹脂が持つ弾性によって復帰し、連結管部２６又は連結管部２７の係止突部１３０が嵌合連結部７２の係止凹部１４２に係止され、両者の離脱が阻止される。
【００３２】
また、この状態から矢印Ｃと反対方向に連結管部２６又は連結管部２７を回動して図１２の（Ａ）及び（Ｂ）に示す状態にすれば、係合案内部１３２で挿入案内片１４０が矢印Ｂ方向に押し広げられ、連結管部２６又は連結管部２７と嵌合連結部７２とを離脱させる方向、即ち、矢印Ｄ方向に力を加えることで、両者を容易に引き離すことができる。
【００３３】
そして、図１４〜図１６を参照して循環口アダプタの水流動作について説明すると、循環パイプユニット３４側から浴槽３０側に給水される場合には、図１４の矢印で示すように、分岐管部２４の連結管部２７を通じて本体部５８の吐出通路７６側を経て弁体９８を押し下げ、吐出口７７を通じて浴槽３０に水が流れ込む。このとき、弁体９２、９４は水圧により閉止状態となり、吸引口８３、８５側に水が流れることはない。このため、給湯時に本体部５８の前面側に熱湯が流れることがなく、安全性が高い給湯を行うことができるとともに、吸引通路７４と吐出通路７６とを分離した結果、吸引時にキャップ８のフィルタ１８に付着した湯垢等が給湯時に浴槽３０に戻されることがなく、不快感を生じることがない。
【００３４】
また、浴槽水を引き込む場合には、図１５及び図１６の矢印で示すように、吸引口８３、８５から吸引通路７４に浴槽水が流れ、弁体９２、９４が開かれることにより、吸引通路７４を経て嵌合連結部７２から分岐管部２４の連結管部２７に流れ込み、図示しない追焚回路を経て循環パイプユニット３４から分岐管部２４の連結管部２６に流れ、連結された外部ホース２８を通じて洗濯機等に浴槽水が供給される。このとき、本体部５８にはキャップ８が取り付けられ、このキャップ８のフィルタ１８によって湯垢等の流出を防止できる。湯垢等の付着したキャップ８は、本体部５８から回動させて容易に取り外し、洗浄することができる。この場合、本体部５８が循環口３２より低い位置に設置されているので、浴槽３０の循環口３２より低い水位の浴槽水までも吸引することができ、浴槽水の利用効率を高めることができる。
【００３５】
なお、実施例では、分岐管部２４の連結管部２６を外部給水に使用したが、連結管部２６を本体部５８に連結させて連結管部２７側を外部給水に利用することができ、連結管部２６、２７は浴槽３０の取付け位置等に対応し、固定盤６０の取付け角度に応じて所望の方向に設定することができる。この場合、循環パイプユニット３４側の給水系及び追焚系の水流方向を連結管部２６、２７の使用形態、即ち、取付け方向に対応して変更設定することは言うまでもない。
【００３６】
【発明の効果】
以上説明したように、本発明によれば、次の効果が得られる。
ａ  構造が簡単でコンパクト、施工が容易で安全性が高い循環口アダプタを提供することができ、給湯の安全性と浴槽水の再利用を図ることができる。
ｂ  吐出口と吸引口とを別系統としたので、浴槽水の濾過を行うフィルタに付着する湯垢等を出湯時に浴槽側に戻すことがない。
ｃ  分岐管部に対して本体部を浴槽の底面側の低い位置に設置したので、浴槽の底面側の低い水位から浴槽水を吸い上げることができ、浴槽水の再利用効率を高めることができる。
【図面の簡単な説明】
【図１】本発明の循環口アダプタの実施例を示す正面図である
【図２】循環口アダプタの右側面図である。
【図３】カバー片を切り離す前のカバーを示す側面図である。
【図４】カバー片を切り離す前のカバーを示す背面図である。
【図５】図４のＶ−Ｖ線断面図である。
【図６】分岐管部及び本体部を示す図である。
【図７】図６の VII−VII 線断面図である。
【図８】本体部の分解構造を示す図である。
【図９】キャップ及び本体部を示す図である。
【図１０】本発明の実施例に係る管結合構造の分岐管部側の連結部を示す図である。
【図１１】本発明の実施例に係る管結合構造における本体部側の連結部を示す図である。
【図１２】分岐管部の連結管部と本体部の嵌合連結部との着脱を示す図である。
【図１３】分岐管部の連結管部と本体部の嵌合連結部との着脱を示す図である。
【図１４】浴槽への給水動作を示す図である。
【図１５】浴槽水の吸引動作を示す図である。
【図１６】浴槽水の吸引動作を示す図である。
【符号の説明】
２  カバー
２０  カバー片
２２  窓部
２４  分岐管部
２６  第１の連結管部（挿入管部）
２７  第２の連結管部（挿入管部）
３０  浴槽
３４  循環パイプユニット
３６  循環連結部
５８  本体部
７２  嵌合連結部（被挿入管部）
７４  吸引通路
７６  吐出通路
７７  吐出口
８３、８５  吸引口
９２、９４、９８  弁体（弁手段）
１３０  係止突部（第１の突部）
１３２  係合案内部（第２の突部）
１３８  スリット
１４０  挿入案内片（挿入案内部）
１４２  係止凹部
【図１】
0003557387.tif 000002
【図２】
0003557387.tif 000003
【図３】
0003557387.tif 000004
【図４】
0003557387.tif 000005
【図５】
0003557387.tif 000006
【図６】
0003557387.tif 000007
【図７】
0003557387.tif 000008
【図８】
0003557387.tif 000009
【図９】
0003557387.tif 000010
【図１０】
0003557387.tif 000011
【図１１】
0003557387.tif 000012
【図１２】
0003557387.tif 000013
【図１３】
0003557387.tif 000014
【図１４】
0003557387.tif 000015
【図１５】
0003557387.tif 000016
【図１６】
0003557387.tif 000017